(57)【特許請求の範囲】
【請求項１】
自装置に対応する対応タグ及び前記対応タグに付加された患者情報を含む個別データと、前記自装置に未対応の未対応タグ及び前記未対応タグに付加された個別データとを少なくとも含む第１のデータを受信する受信部と、
前記受信した第１のデータに含まれるタグが対応タグであるか、未対応タグであるかを判定する判定部と、
前記第１のデータを、前記対応タグの個別データを含み、前記未対応タグの個別データを除いた第２のデータと、少なくとも前記未対応タグの個別データを含む第３のデータとに分割し、前記第２のデータを第１の記憶部に記憶する分割部と、
前記第２のデータに含まれる個別データを参照して被検体についてのデータ処理を実施する処理制御部と、
前記処理により取得されたデータに、前記参照した個別データを含む第２のデータを付加して第４のデータを作成し、前記作成した第４のデータを前記第１の記憶部へ記録する記憶処理部と
を具備することを特徴とする医用画像処理装置。
【請求項２】
前記第３のデータを記憶する第２の記憶部と、
前記第１の記憶部に記憶される前記第４のデータと、前記第２の記憶部に記憶される前記第３のデータとを結合して第５のデータを作成する結合部と、
前記第５のデータを送信する送信部と
をさらに具備することを特徴とする請求項１記載の医用画像処理装置。
【請求項３】
前記第２の記憶部に記憶される第３のデータに含まれる未対応タグに基づき、未対応タグリストを作成するリスト作成部をさらに具備することを特徴とする請求項１に記載の医用画像処理装置。
【請求項４】
前記判定部は、対応タグが記載される対応タグリストを参照することで、前記受信した第１のデータに含まれるタグが対応タグであるか、未対応タグであるかを判定することを特徴とする請求項１に記載の医用画像処理装置。
【請求項５】
前記処理制御部は、前記第２のデータに含まれる個別データを参照して被検体を撮像し、
前記記憶処理部は、前記撮像により得られた画像データに、前記参照した個別データを含む第２のデータを付加して前記第４のデータを作成し、前記作成した第４のデータを前記第１の記憶部へ記録することを特徴とする請求項１記載の医用画像処理装置。
【請求項６】
前記処理制御部は、前記第２のデータに含まれる個別データを参照して被検体についてのデータを作成し、
前記記憶処理部は、前記作成されたデータに、前記参照した個別データを含む第２のデータを付加して前記第４のデータを作成し、前記作成した第４のデータを前記第１の記憶部へ記録することを特徴とする請求項１記載の医用画像処理装置。
【請求項７】
前記第１のデータは、患者毎に存在することを特徴とする請求項１記載の医用画像処理装置。
【請求項８】
前記分割部は、同一の第１のデータから分割された前記第２及び前記第３のデータを互いに関連付け、
前記医用画像処理装置は、前記第４のデータに含まれる第２のデータと関連付けられた前記第３のデータを、前記第２の記憶部から検索する検索部をさらに具備し、
前記結合部は、前記第４のデータに、前記検索により取得された第３のデータを結合させて前記第５のデータを作成することを特徴とする請求項２記載の医用画像処理装置。
【請求項９】
自装置に対応する対応タグ及び前記対応タグに付加された患者情報を含む個別データと、前記自装置に未対応の未対応タグ及び前記未対応タグに付加された個別データとを少なくとも含む第１のデータを受信する医用画像処理装置に備えられるコンピュータで使用されるプログラムであって、
前記受信した第１のデータに含まれるタグが対応タグであるか、未対応タグであるかを判定する判定処理と、
前記第１のデータを、前記対応タグの個別データを含み、前記未対応タグの個別データを除いた第２のデータと、少なくとも前記未対応タグの個別データを含む第３のデータとに分割する分割処理と、
前記第２のデータを第１の記憶部に記録する第１の記録処理と、
前記第３のデータを第２の記憶部に記録する第２の記録処理と、
前記第１の記憶部に記録した第２のデータに含まれる個別データを参照して被検体についてのデータ処理を実施する実施処理と、
前記データ処理により取得したデータに、前記参照した個別データを含む第２のデータを付加して第４のデータを作成し、前記作成した第４のデータを前記第１の記憶部へ記録する第３の記録処理と、
前記第１の記憶部に記録した第４のデータと、前記第２の記憶部に記録した第３のデータとを結合し、第５のデータを作成する結合処理と
を前記コンピュータに実行させることを特徴とするプログラム。
【請求項１０】
前記分割処理は、同一の第１のデータから分割された前記第２及び前記第３のデータを互いに関連付け、
前記プログラムは、前記第４のデータに含まれる第２のデータと関連付けられた前記第３のデータを、前記第２の記憶部から検索する検索処理を前記コンピュータにさらに実行させ、
前記結合処理は、前記第４のデータに、前記検索により取得された第３のデータを結合させて前記第５のデータを作成することを特徴とする請求項９記載のプログラム。
【請求項１１】
自装置に対応する対応タグ及び前記対応タグに付加された患者情報を含む個別データと、前記自装置に未対応の未対応タグ及び前記未対応タグに付加された個別データとを少なくとも含む第１のデータを受信する受信部と、
前記受信した第１のデータに含まれるタグが対応タグであるか、未対応タグであるかを判定する判定部と、
前記第１のデータを、前記対応タグの個別データを含み、前記未対応タグの個別データを除いた第２のデータと、少なくとも前記未対応タグの個別データを含む第３のデータとに分割する分割部と、
前記第２のデータを記憶する第１の記憶部と、
前記第３のデータを記憶する第２の記憶部と、
前記第１の記憶部に記憶される第２のデータと関連付けられた第３のデータを、前記第２の記憶部から検索する検索部と、
前記第２のデータに前記検索により取得された第３のデータを結合させ、第５のデータを作成する結合部と、
前記第５のデータを送信する送信部と
を具備することを特徴とする医用装置。
【発明の詳細な説明】
【技術分野】
【０００１】
本発明の実施形態は、例えば、ＤＩＣＯＭ規格に準拠した通信を行う医用装置及び医用画像処理装置と、医用画像処理装置で用いられるプログラムとに関する。
【背景技術】
【０００２】
従来、医療施設においては、医用画像診断装置及び画像参照装置を含む医用画像処理装置、ＲＩＳ（Radiology Information System）サーバ、並びに画像サーバ等といった各種医用装置が用いられている。この医用装置の間の通信は、例えば、ＤＩＣＯＭ（Digital Imaging and Communication Medicine）規格に準拠して行われている。
【０００３】
例えば、Ｘ線ＣＴ及びＭＲＩ装置等の医用画像診断装置は、ＲＩＳサーバとＤＩＣＯＭ規格に準拠した通信を行い、ＲＩＳサーバから被検体の撮像に関する情報を受信する。医用画像診断装置は、受信した情報を参照して、被検体の撮像を行う。そして、医用画像診断装置は、画像サーバとＤＩＣＯＭ規格に準拠した通信を行い、撮像した医用画像を画像サーバへ送信する。
【０００４】
ところで、ＤＩＣＯＭ規格に準拠して通信されるデータ（以下、ＤＩＣＯＭデータと称する。）には、個別データと、この個別データに付加されるタグとが含まれる。個別データは、患者名、患者ＩＤ及び性別等の患者情報等を含むものであり、タグは個別データの属性を識別するための識別子である。ＤＩＣＯＭ規格には、ＤＩＣＯＭ  ＭＷＭ及びＤＩＣＯＭ  Ｓｔｏｒａｇｅ等、様々なニーズに対応した様式がある。また、ＤＩＣＯＭ規格に準拠する通信は、様々な医用装置間で行われる。そのため、個別データ及びタグには、様式毎、医用装置毎及びユーザ毎に特有の情報が記載されたものが存在する。
【先行技術文献】
【特許文献】
【０００５】
【特許文献１】特開２００９−１７２０１７号公報
【発明の概要】
【発明が解決しようとする課題】
【０００６】
以上のように、個別データ及びタグには様々な情報が記載されているため、通信元の医用装置では対応している個別データ及びタグが、通信先の医用装置では対応していない場合がある。このような場合、通信元の医用装置の操作者は、通信先の医用装置で対応していない個別データ及びタグを送信しないように、マニュアル作業で設定を行ったり、又は、この医用装置に対応していない個別データ及びタグを削除するように、マニュアル作業で設定を行うようにしている。このため、操作者に大きな負担となっていた。
【０００７】
そこで、目的は、例えば、ＤＩＣＯＭ規格に準拠して受信されたデータに、自装置に対応していない個別データ及びタグが含まれる場合に、操作者への負担を軽減させて被検体についてのデータ処理を実施することが可能な医用画像処理装置、及び、この装置で用いられるプログラムを提供することにある。また、例えば、ＤＩＣＯＭ規格に準拠して受信したデータに自装置に対応していない個別データ及びタグが含まれる場合に、操作者への負担を軽減させることが可能な医用装置を提供することにある。
【課題を解決するための手段】
【０００８】
実施形態によれば、医用画像処理装置は、受信部、判定部、分割部、処理制御部及び記憶処理部を具備する。受信部は、自装置に対応する対応タグ及び前記対応タグに付加された患者情報を含む個別データと、前記自装置に未対応の未対応タグ及び前記未対応タグに付加された個別データとを少なくとも含む第１のデータを受信する。判定部は、前記受信した第１のデータに含まれるタグが対応タグであるか、未対応タグであるかを判定する。分割部は、前記第１のデータを、前記対応タグの個別データを含み、前記未対応タグの個別データを除いた第２のデータと、少なくとも前記未対応タグの個別データを含む第３のデータとに分割し、前記第２のデータを第１の記憶部に記憶する。処理制御部は、前記第２のデータに含まれる個別データを参照して被検体についてのデータ処理を実施する。記憶処理部は、前記処理により取得されたデータに、前記参照した個別データを含む第２のデータを付加して第４のデータを作成し、前記作成した第４のデータを前記第１の記憶部へ記録する。
【図面の簡単な説明】
【０００９】
【図１】本実施形態に係る医用装置が用いられる医療情報システムの構成を示す図である。
【図２】図１に示す医用画像診断装置の機能構成を示すブロック図である。
【図３】図１に示すＲＩＳサーバから医用画像診断装置へ送信される第１のデータの例を示した図である。
【図４】図２に示す制御部の機能構成を示すブロック図である。
【図５】図４に示す制御部が第１のデータを第１及び第２の記憶部へ記憶する例を示す図である。
【図６】図２に示す第１の記憶部に記憶される第４のデータの例を示す図である。
【図７】図４に示す結合部が作成する第５のデータの例を示す図である。
【図８】図４に示すリスト作成部が作成する対応タグリストの例を示す図である。
【発明を実施するための形態】
【００１０】
以下、実施の形態について、図面を参照して説明する。
【００１１】
図１は、本実施形態に係る医用装置が用いられる医療情報システムの構成を示す図である。図１に示す医療情報システムでは、様々な種類の医用装置と、主治医等が使用するＰＣ端末とがネットワークＮ上に配置されている。
【００１２】
図１に示す医療情報システムは、医用装置の例として、医用画像診断装置１０、ＲＩＳ（Radiology Information System）サーバ２０、画像サーバ３０、画像参照装置４０及びレポートサーバ５０を備える。なお、医用画像診断装置１０及び画像参照装置４０は、医用画像処理装置に属する。
【００１３】
医用画像診断装置１０は、例えば、Ｘ線ＣＴ装置、超音波診断装置及びＭＲＩ装置等である。医用画像診断装置１０は、ＲＩＳサーバ２０から被検体の撮像に関する情報（患者名、患者ＩＤ及び性別等の患者情報と、診断部位等とを含むオーダ情報）を受信し、この情報を参照して被検体を撮像することで医用画像を生成する。
【００１４】
ＲＩＳサーバ２０は、放射線検査業務に係る情報の管理を行う。すなわち、ＲＩＳサーバ２０は、ＲＩＳ端末（図示せず）から放射線検査依頼を受け付け、この放射線検査依頼を参照して被検体の撮像に関する情報を作成する。ＲＩＳサーバ２０は、作成した情報を医用画像診断装置１０へ送信する。
【００１５】
画像サーバ３０、画像参照装置４０及びレポートサーバ５０は、ＰＡＣＳ（Picture Archiving and Communication System）を構成する。画像サーバ３０は、医用画像診断装置１０で生成された医用画像を保管し、要求に応じて保管している医用画像を出力する。画像参照装置４０は、画像サーバ３０で保管される医用画像を表示し、表示する医用画像に対する読影レポート等を操作者に作成させる。レポートサーバ５０は、作成された読影レポートを保管し、要求に応じて保管している読影レポートを出力する。
【００１６】
上記の医用装置である医用画像診断装置１０、ＲＩＳサーバ２０、画像サーバ３０、画像参照装置４０及びレポートサーバ５０の間の通信は、ＤＩＣＯＭ（Digital Imaging and Communication Medicine）規格に準拠して行われる。以下では、ＤＩＣＯＭ規格に準拠した医用装置の例として、医用画像診断装置１０であるＸ線ＣＴについて詳細に説明する。
【００１７】
図２は、本実施形態に係る医用画像診断装置１０の機能構成を示すブロック図である。図２に係る医用画像診断装置１０は、架台１１及び情報処理部１２を備える。
【００１８】
架台１１は、被検体Ｐに関する投影データを収集するために構成されたものである。架台１１は、スリップリング１１１、架台駆動部１１２、Ｘ線管球１１３、Ｘ線検出器１１５、回転フレーム１１６、データ収集部１１７、非接触データ伝送装置１１８を備える。
【００１９】
情報処理部１２は、架台１１におけるデータ収集動作の制御、及び、架台１１において収集されたデータに所定の処理を施すことで、Ｘ線ＣＴ画像及びこれを用いた各種臨床情報を生成する。情報処理部１２は、高電圧発生装置１２１、前処理部１２２、メモリ部１２３、再構成部１２４、画像処理部１２５、第１の記憶部１２６、第２の記憶部１２７、制御部１２８、表示部１２９、入力部１２１０及び送受信部１２１１を備える。
【００２０】
架台駆動部１１２は、回転フレーム１１６を回転駆動する。この回転駆動により、Ｘ線管球１１３とＸ線検出器１１５とが対向しながら、被検体Ｐの体軸を中心に螺旋状に回転することになる。
【００２１】
Ｘ線管球１１３は、Ｘ線を発生する真空管であり、回転フレーム１１６に設けられている。当該Ｘ線管球１１３には、Ｘ線の曝射に必要な電力（管電流、管電圧）が高電圧発生装置１２１からスリップリング１１１を介して供給される。Ｘ線管球１１３は、供給された高電圧により電子を加速させターゲットに衝突させることで、有効視野領域ＦＯＶ内に載置された被検体Ｐに対してＸ線を曝射する。
【００２２】
Ｘ線検出器１１５は、被検体を透過したＸ線を検出する検出器システムであり、Ｘ線管球１１３に対向する向きで回転フレーム１１６に取り付けられている。当該Ｘ線検出器１１５は、シングルスライスタイプ又はマルチスライスタイプの検出器であり、シンチレータとフォトダイオードとの組み合わせで構成される複数の検出素子が、それぞれのタイプに応じて一次元的又は二次元的に配列されている。
【００２３】
回転フレーム１１６は、Ｚ軸を中心として回転駆動されるリングであり、Ｘ線管球１１３とＸ線検出器１１５とを搭載している。この回転フレーム１１６の中央部分は開口されており、この開口部に、寝台（図示せず）上に載置された被検体Ｐが挿入される。
【００２４】
データ収集部１１７は、一般的にＤＡＳ（Data Acquisition System）と呼ばれ、検出器１５からチャンネル毎に出力される信号を電圧信号に変換し、増幅し、さらにディジタル信号に変換する。このデータ（生データ）は、非接触データ伝送装置１１８を介して情報処理部１２に取り込まれる。
【００２５】
高電圧発生装置１２１は、スリップリング１１１を介して、Ｘ線の曝射に必要な電力をＸ線管球１１３に供給する装置であり、高電圧変圧器、フィラメント加熱変換器、整流器、高電圧切替器等から成る。
【００２６】
前処理部１２２は、非接触データ伝送装置１１８を介してデータ収集部１１７から生データを受け取り、感度補正やＸ線強度補正を実行する。各種補正を受けた３６０度分の生データは、第１の記憶部１２６に一旦記憶される。なお、当該前処理部１２２によって前処理が施された生データは、「投影データ」と呼ばれる。
【００２７】
再構成部１２４は、複数種類の再構成法を装備し、操作者から選択された再構成法により画像データを再構成する。複数種類の再構成法には、例えば、ファンビーム再構成法（ファンビーム・コンボリューション・バックプロジェクション法ともいう）、再構成面に対して投影レイが斜めに交差する場合の再構成法として、コーン角が小さいことを前提として畳み込みの際にはファン投影ビームとみなして処理し、逆投影はスキャンの際のレイに沿って処理する近似的画像再構成法としてのフェルドカンプ法、フェルドカンプ法よりもコーン角エラーを抑える方法として再構成面に対するレイの角度に応じて投影データを補正するコーンビーム再構成法等が含まれる。
【００２８】
画像処理部１２５は、再構成部１２４により生成された再構成画像データに対して、ウィンドウ変換、ＲＧＢ処理等の表示のための画像処理を行い、表示部１２９に出力する。また、画像処理部１２５は、オペレータの指示に基づき、任意断面の断層像、任意方向からの投影像、３次元表面画像等のいわゆる疑似３次元画像の生成を行い、表示部１２９に出力する。
【００２９】
表示部１２９は、画像処理部１２５から供給されるコンピュータ断層画像、スキャノグラム像等のＣＴ画像を表示する出力装置である。ここで、ＣＴ値とは、物質のＸ線吸収係数を、基準物質（例えば、水）からの相対値として表したものである。また、表示部１２９は、後述する制御部１２８で作成される未対応タグリストを表示する。また、表示部１２９は、図示していない計画補助システムによって実現されるスキャン計画画面等を表示する。
【００３０】
入力部１２１０は、キーボードや各種スイッチ、マウス等を備え、オペレータを介してスライス厚やスライス数等の各種スキャン条件を入力可能な装置である。
【００３１】
送受信部１２１１は、ネットワークＮを介して、他の医用装置とＤＩＣＯＭ規格に準拠した通信を行い、画像データ、患者情報等を送受信する。特に、送受信部１２１１は、ネットワークＮに接続されたＲＩＳサーバ２０から、当該被検体の撮像に関する情報を受信する。また、送受信部１２１１は、ネットワークＮに接続された画像サーバ３０へ、取得した医用画像を送信する。
【００３２】
図３は、ＲＩＳサーバ２０から医用画像診断装置１０へ、ＤＩＣＯＭ規格に準拠して送信されるデータ（以下、第１のデータと称する。）の例を模式的に示した図である。第１のデータは、複数のデータエレメントを有し、各データエレメントは、タグ、ＶＲ、データサイズ及び実データを有する。タグは、データエレメントの属性を識別するための識別子である。データサイズは、実データのサイズを示す。実データは、患者名、患者ＩＤ及び性別等の患者情報等についてのデータである。以下では、ＶＲ、データサイズ及び実データを個別データと称する。なお、ＶＲは、ＤＩＣＯＭ規格の形式によって、存在しない場合も有り得る。なお、第１のデータは、例えば、患者毎に存在する。すなわち、患者が複数存在する場合には、第１のデータは、患者数分だけ存在することになる。
【００３３】
制御部１２８は、例えば、ＣＰＵ（Central Processing Unit）のみならず、ＲＯＭ（Read Only Memory）、ＲＡＭ（Random Access Memory）等のＣＰＵが処理を実行するためのプログラムやデータの格納領域等を含む。制御部１２８は、専用プログラムをＣＰＵに実行させることで、図４に示す各処理部の機能を実現する。すなわち、図４に示す制御部１２８は、判定部１２８１、分割部１２８２、記憶処理部１２８３、撮像制御部１２８４、検索部１２８５、結合部１２８６及びリスト作成部１２８７を備える。
【００３４】
判定部１２８１は、ＲＩＳサーバ２０から送受信部１２１１を介して受信される第１のデータに含まれるタグと、対応タグリストとを比較する。対応タグリストは、判定部１２８１に予め記憶され、医用画像診断装置１０で利用可能な個別データに付加されるタグが記載されている。判定部１２８１は、第１のデータに含まれるタグと、対応タグリストとを比較することで、第１のデータに含まれるタグが自装置に対応する対応タグであるか、自装置に未対応の未対応タグであるかを判定する。
【００３５】
図５は、制御部１２８が第１のデータを第１及び第２の記憶部１２６，１２７へ記憶する際の例を示す模式図である。図５によれば、タグ１：（０ｘ００１０，０ｘ００１０）及びタグ３：（０ｘ００１０，０ｘ００１２）が対応タグリストに含まれ、タグ２：（０ｘ００１０，０ｘ００１１）が対応タグリストに含まれている。判定部１２８１は、タグ１及びタグ３を対応タグと判定し、タグ２を未対応タグと判定する。
【００３６】
分割部１２８２は、判定部１２８１での判定結果を参照し、第１のデータを分割する。例えば、分割部１２８２は、第１のデータから、対応タグ及び対応タグが付加される個別データと、未対応タグ及び未対応タグが付加される個別データとを分割する。このとき、分割部１２８２は、第１のデータから分割した、対応タグ及び対応タグが付加される個別データと、未対応タグ及び未対応タグが付加される個別データとに、同一のＵＩＤ（Unique ID）を付加する。以下では、対応タグ及び対応タグが付加される個別データにＵＩＤが付加されたデータを第２のデータと称し、未対応タグ及び未対応タグが付加される個別データにＵＩＤが付加されたデータを第３のデータと称する。同一のＵＩＤが付加されることにより、第２のデータと第３のデータとは互いに関連付けられることとなる。なお、ＵＩＤは、第１のデータに予め記載されていても良いし、予め記載されていない場合は、分割部１２８２により作成されても良い。また、ＵＩＤは、例えば、Study Instance UID、Series Instance UID及びSOP Instance UID等である。
【００３７】
例えば、図５において、分割部１２８２は、第１のデータを、対応タグであるタグ１，３、及び、これらのタグがそれぞれ付加される個別データ１，３と、未対応タグであるタグ２及びタグ２が付加される個別データ２とに分割する。そして、分割部１２８２は、タグ１，３及び個別データ１，３にＵＩＤを付加して第２のデータとし、タグ２及び個別データ２にＵＩＤを付加して第３のデータとする。
【００３８】
記憶処理部１２８３は、第２のデータを第１の記憶部１２６に記憶し、第３のデータを第２の記憶部１２７に記憶する。また、記憶処理部１２８３は、撮像制御部１２８４の制御により得られた生データ、投影データ、スキャノグラムデータ、断層像データ等の画像データを第１の記録部１２６に記憶する際に、撮像の際に参照した個別データを含む第２のデータを、取得された画像データに付加することで、第４のデータを作成する。記憶処理部１２８３は、作成した第４のデータを第１の記憶部１２６へ記憶する。
【００３９】
例えば、図５において、記憶処理部１２８３は、タグ１，３、個別データ１，３及びＵＩＤを第２のデータとして第１の記憶部１２６へ記憶し、タグ２、個別データ２及びＵＩＤを第３のデータとして第２の記憶部１２７へ記憶する。図６は、第１の記憶部１２６に記憶される第４のデータの例を示す模式図である。図６によれば、画像データは、タグ１，３、個別データ１，３及びＵＩＤが付加されて、第１の記憶部１２６に記憶される。なお、図６では、画像データに、タグ１，３、個別データ１，３及びＵＩＤが付加される場合を例に示しているが、実際には、タグ１，３、個別データ１，３及びＵＩＤの他に、例えば、撮像の際に用いられた条件等を含むデータと、このデータの属性を識別するタグとが、画像データにさらに付加されることとなる。
【００４０】
撮像制御部１２８４は、第１の記憶部１２６に記憶される第２のデータに含まれるタグ及び個別データを参照し、スキャン処理、信号処理、画像生成処理、画像表示処理等において、医用画像診断装置１０におけるＸ線ＣＴ画像の撮像処理の統括的な制御を行う。例えば、撮像制御部１２８４は、スキャン処理においては、個別データに含まれる患者ＩＤ及びスライス厚等によってスキャン条件を設定し、当該スキャン条件に基づいて、高電圧発生装置１２１、寝台駆動部１２、及び寝台天板の体軸方向への送り量、送り速度、Ｘ線管球１１３及びＸ線検出器１１５の回転速度、回転ピッチ、及びＸ線の曝射タイミング等を制御し、被検体の所望の撮像領域に対して多方向からＸ線コーンビーム又はＸ線ファンビームを曝射させ、Ｘ線ＣＴ画像のデータ収集（スキャン）処理を行う。
【００４１】
検索部１２８５は、医用画像診断装置１０が、取得した医用画像を画像サーバ３０等へ送信する指示を受けた場合、第２の記憶部１２７から、第１の記憶部１２６に記憶される第４のデータに含まれるＵＩＤと同一のＵＩＤを含む第３のデータを検索する。
【００４２】
結合部１２８６は、第１の記憶部１２６から第４のデータを読み出し、第２の記憶部１２７から検索により取得された第３のデータを読み出す。結合部１２８６は、読み出した第４，３のデータを結合し、第５のデータを作成する。図７は、結合部１２８６が作成する第５のデータの模式図を示す。図７において、結合部１２８６は、タグ１，３、個別データ１，３、ＵＩＤ及び画像データを第１の記憶部１２６から読み出す。また、結合部１２８６は、タグ２、個別データ２及びＵＩＤを第２の記憶部１２７から読み出す。結合部１２８６は、読み出したデータを結合し、タグ１〜３、個別データ１〜３、ＵＩＤ及び画像データを含む第５のデータを作成する。第５のデータは、送受信部１２１１から画像サーバ３０等へ送信される。
【００４３】
リスト作成部１２８７は、第２の記憶部１２７に記憶される第３のデータに含まれるタグを参照し、未対応タグリストを作成する。また、未対応タグリストがすでに作成されている場合には、リスト作成部１２８７は、第２の記憶部１２７に記憶される第３のデータに含まれるタグを参照し、未対応タグリストを更新する。図８は、リスト作成部１２８７が作成する対応タグリストの例を示す模式図である。
【００４４】
以上のように、上記実施形態では、判定部１２８１及び分割部１２８２により、ＤＩＣＯＭ規格に準拠して送信されるデータを、対応タグ及び対応タグが付加される個別データを含む第２のデータと、未対応タグ及び未対応タグが付加される個別データを含む第３のデータに分割する。撮像制御部１２８４は、第２のデータを参照して、被検体の画像データを取得する。記憶処理部１２８３は、画像データに、撮像の際に参照した個別データを含む第２のデータを付加して第４のデータを作成し、作成した第４のデータを第１の記憶部１２６へ記憶する。これにより、操作者は、受信した第１のデータから、自装置に未対応のタグ及び個別データを手動で除去する必要がなくなり、医用画像診断装置１０により、第１のデータに含まれる対応タグ及び個別データが参照され、被検体の撮像が行われることとなる。
【００４５】
従来の医用画像診断装置では、未対応タグ及び当該未対応タグが付加された個別データを含むために受信した第１のデータのサイズが大きい場合には、撮像の要求は受けることは可能であるが、撮像ができないおそれがあった。これは、従来の医用画像診断装置では、対応タグと未対応タグとを区別できないため、撮像された画像データが第１のデータに付加されることになり、画像データ取得後のデータサイズが医用画像診断装置の記憶容量を超えてしまうためである。一方、本実施形態に係る医用画像診断装置１０では、未対応タグ及び当該未対応タグが付加された個別データを含むために受信した第１のデータのサイズが大きい場合であっても、対応タグ等と未対応タグ等とを区別して対応タグ等のみを抽出し、必要なデータを第１の記憶部１２６へ記憶するため、画像データ取得後のデータサイズ、すなわち、第４のデータのデータサイズが医用画像診断装置１０の記憶容量を超えることはない。このため、未対応タグ及び当該未対応タグが付加された個別データを含むためにサイズの大きい第１のデータを受信した場合であっても、医用画像診断装置１０は、被検体の撮像を中断するという状況を回避することが可能となる。
【００４６】
また、本実施形態では、医用画像診断装置１０が、取得した医用画像を画像サーバ３０等へ送信する指示を受けた場合、検索部１２８５は、第２の記憶部１２７から、医用画像を含む第４のデータと関連付けられた第３のデータを検索する。結合部１２８６は、第４のデータと、検索により取得された第３のデータとを結合して第５のデータを作成する。受信した第１のデータに、通信元装置特有のプライベートデータや、多くのタグ及び個別データが含まれている場合、医用画像診断装置１０は、画像データの取得後、画像データと共に、これらのデータも送信することが望ましい。本実施形態によれば、受信時の第１のデータに含まれる全てのタグ及び個別データ等を維持しつつ、本検査において撮像された画像をも加えた第５のデータを生成し、画像サーバ３０等へ送信することが可能となる。
【００４７】
また、上記実施形態では、リスト作成部１２８７は、第２の記憶部１２７に記憶される第３のデータに含まれるタグを参照し、未対応タグリストを作成するようにしている。これにより、他装置から受信した第１のデータ内に含まれる未対応タグの一覧が自動で更新されるため、医用画像診断装置１０の接続性が向上することとなる。
【００４８】
したがって、本実施形態に係る医用画像診断装置１０によれば、例えば、ＤＩＣＯＭ規格に準拠して受信されたデータに、自装置に対応していない個別データ及びタグが含まれる場合に、操作者への負担を軽減させて被検体の撮像を行うことができる。すなわち、操作者への負担を軽減させて被検体についてのデータ処理を実施することができる。
【００４９】
なお、上記実施形態では、対応タグリストを更新可能なようにしても構わない。例えば、医用画像診断装置１０がアップデートされることにより、対応タグが増加する場合が考えうる。このような場合、対応タグリストを更新することで、このような医用画像診断装置１０のアップデートに対応することが可能となる。
【００５０】
また、上記実施形態では、受信した第１のデータに、対応タグ、対応タグが付加される個別データ、未対応タグ及び未対応タグが付加される個別データが含まれる場合を例に説明したが、第１のデータに含まれるデータはこれに限定される訳ではない。例えば、画像データが含まれていても構わない。
【００５１】
また、上記実施形態では、医用画像診断装置１０に含まれる制御部１２８が、ＤＩＣＯＭ規格に準拠して受信された第１のデータに対して行う処理を例に説明した。しかしながら、これに限定される訳ではない。例えば、画像サーバ３０、画像参照装置４０及びレポートサーバ５０等の医用装置が制御部１２８と同様の処理を行う制御部を備えていても構わない。
【００５２】
例えば、画像参照装置４０が制御部１２８と同様の処理を行う制御部を備える場合を説明する。画像参照装置４０は、画像データを含む第１のデータを受信する。画像参照装置４０は、第１のデータを、対応タグ、対応タグが付加される個別データ及び画像データを含む第２のデータと、未対応タグ及び未対応タグが付加される個別データを含む第３のデータとに分割する。画像参照装置４０は、画像参照装置４０の操作者からの操作に基づき、制御部の処理制御機能により、第２のデータに含まれる画像データに対する読影レポート等を作成する。画像参照装置４０は、作成した読影レポート等を第２のデータと結合させて第４のデータを作成する。画像参照装置４０は、作成した第４のデータと、この第４のデータと対応する第３のデータとを結合して第５のデータとする。
【００５３】
また、上記実施形態では、医用装置がＤＩＣＯＭ規格に準拠した通信を行う場合を例に説明した。しかしながら、これに限定される訳ではない。例えば、上記の第１のデータと同様のデータ構造を採る規格ならば、医用装置は、ＤＩＣＯＭ規格以外に準拠した通信を行っても構わない。
【００５４】
また、上記実施形態では、分割部１２８２は、第１のデータから、対応タグ及び対応タグが付加される個別データと、未対応タグ及び未対応タグが付加される個別データとを分割する場合を例に説明した。しかしながら、これに限定される訳ではない。例えば、分割部１２８２は、第１のデータから、対応タグ及び対応タグが付加される個別データを含む第２のデータを分割する。このとき、第１のデータから分割される第３のデータは、対応タグ及び対応タグが付加される個別データのうち少なくともいずれかと、未対応タグ及び未対応タグが付加される個別データとを含むようにしても構わない。
【００５５】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５６】
１０…医用画像診断装置、１１…架台、１１１…ストップリング、１１２…架台駆動部、１１３…Ｘ線管球、１１５…Ｘ線検出器、１１６…回転フレーム、１１７…データ収集部、１１８…非接触データ伝送装置、１２…情報処理部、１２１…高電圧発生装置、１２２…前処理部、１２３…メモリ部、１２４…再構成部、１２５…画像処理部、１２６…第１の記憶部、１２７…第２の記憶部、１２８…制御部、１２８１…判定部、１２８２…分割部、１２８３…記憶処理部、１２８４…撮像制御部、１２８５…検索部、１２８６…結合部、１２８７…リスト作成部、１２９…表示部、１２１０…入力部、１２１１…送受信部、２０…ＲＩＳサーバ、３０…画像サーバ、４０…画像参照装置、５０…レポートサーバ
【図１】
0005992805.tif 000002
【図２】
0005992805.tif 000003
【図３】
0005992805.tif 000004
【図４】
0005992805.tif 000005
【図５】
0005992805.tif 000006
【図６】
0005992805.tif 000007
【図７】
0005992805.tif 000008
【図８】
0005992805.tif 000009